(57)【特許請求の範囲】
【請求項１】
座面部（３）の前部に、座面部（３）に座った使用者の脚を保持するフットレスト（２）を備え、フットレスト（２）が、座面部（３）に対して、フットレスト（２）に保持する脚の長さ方向に移動可能に設けられた椅子型マッサージ機において、
前記フットレスト（２）は、脚の背面が対向する溝底面（１５）と、溝底面（１５）の左右両側にあって脚の左右外側面が対向する一対の側部内面（１６）と、側部内面（１６）の間にあって脚の左右内側面が対向する一対の中央外面（１８）とを有していると共に、前記座面部（３）に着座した使用者のふくらはぎとその先を保持するために当該座面部（３）の前部に取り付けられており、
側部内面（１６）と中央外面（１８）とに、空気を給排させることによって伸縮動作するエアセル（２９）が互いに対向するように設けられ、
フットレスト（２）の先端側に、前記溝底面（１５）と一対の側部内面（１６）と一対の中央外面（１８）と共に使用者の左右各脚のふくらはぎから足首を経て足裏までを取り囲んで保持するように脚の足裏が対向するステップ（４５）が設けられ、ステップ（４５）に、足裏に対するマッサージ動作を行う指圧部（４６）が設けられ、
ふくらはぎとその先を保持するための前記フットレスト（２）が前記ステップ（４５）と共に一体として前記座面部（３）の前部から脚の長さ方向に移動可能に設けられており、
前記溝底面（１５）と一対の側部内面（１６）と一対の中央外面（１８）とで取り囲まれた左右一対の凹部に保持した使用者の両脚の、各足裏を受けるべく、前記ステップ（４５）は、前記左右一対の凹部の、脚の長さ方向に対応するように配置されていることを特徴とする椅子型マッサージ機。
【請求項２】
前記フットレスト（２）の脚の長さ方向への移動が手動機構により行われる構成であることを特徴とする請求項１記載の椅子型マッサージ機。
【請求項３】
前記フットレスト（２）の脚の長さ方向への移動が自動機構により行われる構成であることを特徴とする請求項１記載の椅子型マッサージ機。
【請求項４】
前記フットレスト（２）は、脚の長さ方向へ移動不能になる固定状態と、脚の長さ方向へ移動可能となる移動可能状態とに切換可能とされていることを特徴とする請求項１〜３のいずれかに記載の椅子型マッサージ機。
【発明の詳細な説明】
【０００１】
【発明の属する技術分野】
本発明は、フットレストを有する椅子型マッサージ機に関するものである。
【０００２】
【従来の技術】
従来、椅子型のマッサージ機に使用可能なフットレストとして、特開平８−８９５４０号公報記載のものが知られている。
このフットレストは、断面Ｕ字状に形成された脚入れ用の凹部が左右に二つ並べられたかたちの本体部を有したもので、個々の凹部には、左右で対向する二側内面と凹部内底面との各３か所に空気袋が設けられている。
【０００３】
これら空気袋は、別箇所に設置されるエア給排装置によって空気が交互に給排されて膨らんだりしぼんだりを繰り返し、これによって脚等をマッサージするようになっている。
上記フットレストは、椅子型マッサージ機の座面部に対して枢軸を介して連結されており、この座面部に対して前後方向へ揺動可能になっている。そして、この枢軸まわりには、揺動角度を調節可能にすると共に適宜角度で停止保持させるためのラチェット機構や、椅子型マッサージ機側でのリクライニング動作に合わせてフットレストの揺動を連動させるための連動機構等が設けられている。
【０００４】
【発明が解決しようとする課題】
この種、椅子型マッサージ機を使用するに際して、使用者の身長差は、座面部を中心として脚側及び背側への当接位置のズレとして生じる。
そのため、フットレストに設けられる空気袋の位置が、使用者における脚のツボ位置等に対して適正に対応しなくなる場合があり、この場合には当然に、期待するマッサージ効果が得られないことになる。
【０００５】
本発明は、上記事情に鑑みてなされたものであって、使用者の身長差に影響されることなく、フットレストにおいて脚の適正なツボ位置等に対してマッサージを行えるようにした椅子型マッサージ機を提供することを目的とする。
【０００６】
【課題を解決するための手段】
本発明では、上記目的を達成するために、次の技術的手段を講じた。即ち、本発明に係る椅子型マッサージ機は、座面部の前部に、座面部に座った使用者の脚を保持するフットレストを備え、フットレストが、座面部に対して、フットレストに保持する脚の長さ方向に移動可能に設けられた椅子型マッサージ機において、前記フットレストは、脚の背面が対向する溝底面と、溝底面の左右両側にあって脚の左右外側面が対向する一対の側部内面と、側部内面の間にあって脚の左右内側面が対向する一対の中央外面とを有していると共に、前記座面部に着座した使用者のふくらはぎとその先を保持するために当該座面部の前部に取り付けられており、側部内面と中央外面とに、空気を給排させることによって伸縮動作するエアセルが互いに対向するように設けられている。
【０００７】
さらに、フットレストの先端側に、前記溝底面と一対の側部内面と一対の中央外面と共に使用者の左右各脚のふくらはぎから足首を経て足裏までを取り囲んで保持するように脚の足裏が対向するステップが設けられ、ステップに、足裏に対するマッサージ動作を行う指圧部が設けられ、ふくらはぎとその先を保持するための前記フットレストが前記ステップと共に一体として前記座面部の前部から脚の長さ方向に移動可能に設けられており、前記溝底面と一対の側部内面と一対の中央外面とで取り囲まれた左右一対の凹部に保持した使用者の両脚の、各足裏を受けるべく、前記ステップは、前記左右一対の凹部の、脚の長さ方向に対応するように配置されていることを特徴としている。
【０００８】
なお、上記エアセルは、蛇腹構造等を有しており、膨張・収縮させることにより、脚載せ部で支持される脚に対して直接的又は間接的にマッサージ動作を行うもので、このマッサージ動作としては、指圧、モミ、叩き、振動等がある。フットレストの脚の長さ方向への移動は、自動機構により行っても、また手動機構によって行ってもよい。自動機構で行うものにあっては、操作の容易性が得られ、また手動機構で行うものにあっては、構造の簡潔化、低コスト化等が得られる。
【０００９】
また、前記フットレストは、脚の長さ方向へ移動不能になる固定状態と、脚の長さ方向へ移動可能となる移動可能状態とに切換可能とされている。なお、フットレストの前後動を、揺動角度や前後位置とは無関係に動作及び停止できるようにしておくと、所望される任意の位置付けでのマッサージを受けられることになるため、それだけ満足した快楽感が得られる。
【００１０】
【発明の実施の形態】
以下、図面に基づいて本発明の実施の形態を説明する。
図１乃至図４は、本発明に係る椅子型マッサージ機１の第１実施形態を示している。
図４に示すように、この第１実施形態のマッサージ機１において、座面部３の前部には、フットレスト２が前後方向へ揺動可能な状態で設けられており、また座面部２の後部には、背凭れ部４が前後方向へ揺動可能な状態で設けられている。
【００１１】
背凭れ部４には、首、背中、腰等に対してマッサージ動作を行う背部マッサージ駆動部５が設けられている。
この背部マッサージ駆動部５は、横軸まわりで回転自在なローラより成る動作子６を有したもので、この動作子６に、流体圧アクチュエータ、電動モータ、電磁振動具等の駆動源（図示略）による出退動・左右動・振動等や、ネジ送り機構等の移動機構７による上下動等をそれぞれ適宜組み合わせたり、又は単独で行わせたりして、マッサージ動作を行わせるようになっている。
【００１２】
図１に示すように、座面部３には、お尻や太もも等へそれらの下から突き上げるような指圧を繰り返すことによって、マッサージ動作を行う座部マッサージ駆動部８が設けられている。
図４に示すように、フットレスト２は、盤体状の本体部１０を具備したもので、この本体部１０には、使用者の左右の脚を互いに所定間隔をおいて振り分け状に支持可能なように、２本の溝型をした脚載せ部１２が設けられている。そして、これら各脚載せ部１２に対応して、左右の脚の足首やふくらはぎ等にマッサージ動作を行う脚部マッサージ駆動部１３が設けられている。
【００１３】
すなわち、脚載せ部１２は、溝底面１５と、左右両側で対向する側部内面１６と、幅方向中央部で膨出した分離丘１７において左右両側へ向く中央外面１８とを有したものとなっており、これに対して上記脚部マッサージ駆動部１３は、側部内面１６と中央外面１８との対向二面から各足首を掴みモミする第１指圧部２６と、溝底面１５からふくらはぎを突き上げるように指圧する第２指圧部２７とを有している。
【００１４】
第１指圧部２６は、片脚あたり２個（全部で４個）のエアセル２９を有し、また第２指圧部２７は、片脚あたり１個（全部で２個）のエアセル３５を有している。これらエアセル２９，３５は、いずれも酢酸ビニル等の可撓性及び弾力性に優れた樹脂により、外周面を蛇腹構造とした円筒形に形成されたもので、内部へ空気を給排させることによって軸方向の伸縮動作を行うようになっている。
【００１５】
図１及び図２に示すように、このフットレスト２の本体部１０は、その裏面側に前フレーム１００を具備した構造になっており、この前フレーム１００が、座面部３を支持する椅子側フレーム１０１の前部に枢軸２４を介して前後揺動自在に連結されるようになっている。
この前フレーム１００には、その左右方向中央部に、断面コ字状をして長手方向を前後方向へ向けたガイドレール１０５（図３参照）が設けられている。このガイドレール１０５には、その左右両側壁１０６に、長手方向を前後方向に向けた側部長孔１０８が形成されていると共に、天井面１１０にも、長手方向を前後方向に向けた上部長孔１１１が形成されている。
【００１６】
これに対して本体部１０には、分離丘１７における座面部３寄りの中央部に操作用凹部１１５が設けられており、この操作用凹部１１５には、ガイドレール１０５の上部長孔１１１と合致する貫通孔１１６が設けられている。
そして、この貫通孔１１６には、上端部に操作ノブ１１８を有し且つ下端部をボルト端部１１９とする回転操作軸１２０が、その上側から下方へ向けて差し込まれており、ガイドレール１０５内には、回転操作軸１２０のボルト端部１１９に螺合する角片状のブレーキシュー１２２が前後動自在に嵌め込まれている。このブレーキシュー１２２には、ガイドレール１０５における両側の側部長孔１０８を通り抜けるかたちで、抜け止めピン１２５が横嵌めされている。
【００１７】
また、本体部１０の裏面には、ガイドレール１０５の左右両側壁１０６を外嵌するかたちでホルダー１２６が設けられており、このホルダー１２６にも、ガイドレール１０５における両側の側部長孔１０８を通り抜けるかたちで、抜け止めピン１２７が横嵌めされている。
このようなことから、本体部１０は、回転操作軸１２０を締め込んであるときには、ブレーキシュー１２２がガイドレール１０５の天井面１１０を押圧することを受けて、前フレーム１００に対する所定配置で不動状態に固定されるものとなり、また回転操作軸１２０を緩めれば、ブレーキシュー１２２がフリー状態になり、前フレーム１００に対して前後方向の任意位置へ自在に移動できるものとなる。
【００１８】
すなわち、その結果として、フットレスト２は、座面部３の前部で、その揺動角度位置に何ら関係なく、前後動が可能であると共に、前後方向の任意位置で不動状態に固定できるものとなっている。
なお、図１に示したように、フットレスト２の揺動は、上記ガイドレール１０５に設けられたヒンジ片１３２と、椅子側フレーム１０１の座部フレーム１３５に設けられた下部ヒンジ片１３６との間にガス圧式ダンパー具１３７を取り付けて、このダンパー具１３７による倍力作用を利用した手動機構で行われるものを示してある。
【００１９】
しかし、これに限らず、例えばリンク（梃）機構等を利用した手動機構としたり、モータを駆動源とするネジ送り機構や歯車機構、或いは流体圧アクチュエータ等を用いた自動機構で行われるようにしてもよい（いずれも図示は省略した）。
ところで、前記した背凭れ部４の揺動も、フットレスト２の場合と同様に、手動又は自動により行うようにすることができる。この場合、フットレスト２と背凭れ部４との各揺動は、それぞれ独立して行わせるようにしてもよいが、リクライニング動作の一連の流れとして、互いに連動させるようにしてもよい。
【００２０】
そして、このようなフットレスト２と背凭れ部４とを連動させる場合には、これに伴わせて、更に座面部３も前後動させるようにするとよい。
すなわち、図１に示したように、上記椅子側フレーム１０１に対し、座部フレーム１３５をコロ１３９等によって前後動自在に保持させておき、この座部フレーム１３５の前後動を、モータを駆動源とするネジ送り機構や歯車機構、或いは流体圧アクチュエータ等（いずれも図示略）により駆動できるものとしておく。
【００２１】
そして、背凭れ部４を後方へ倒すときには、座面部３を前方へ移動させると共にフットレスト２を上方へ跳ね上げるようにし、反対に、背凭れ部４を元の状態に起立させるときには、座面部３を後方へ移動させると共にフットレスト２を下方へ垂下させるようにすればよい。
図５は、本発明に係る椅子型マッサージ機１において、フットレスト２を座面部３に対して前後動させるために、ブレーキシュー１２２に対してガイドレール１０５と平行する方向に送りネジ軸１４０を螺合貫通させ、この送りネジ軸１４０を、減速器１４１を介してモータ１４２で駆動させるようにした第２実施形態を示している。
【００２２】
また図６は、本発明に係る椅子型マッサージ機１において、フットレスト２を座面部３に対して前後動させるために、ブレーキシュー１２２に対してガイドレール１０５と平行する方向に流体圧シリンダ１４３を連結させて、この流体圧シリンダ１４３で駆動させるようにした第３実施形態を示している。
これら第２及び第３実施形態のように、フットレスト２の前後動を自動的に行うように構成させることも可能である。勿論、その他の駆動方式を採用することも可能である。
【００２３】
図７乃至図１１は、本発明に係る椅子型マッサージ機１において、フットレスト２に設けられる脚部マッサージ駆動部１３として別例のものを採用した第４実施形態を示している。
なお、フットレスト２が座面部３に対して前後動可能になっている点及びその構造等については、第１乃至第３実施形態と同じであるものとする。
【００２４】
図８及び図１１に示すように、この第４実施形態において、フットレスト２の本体部１０に設けられた脚載せ部１２は、前記第１実施例のような完全な溝型ではないが、やはり、支持する脚１１の足先寄りの端部１２ａと座面部３寄りの端部１２ｂとの二方向が開放したものとなっている。また、この脚載せ部１２の足先寄り端部１２ａで膨出状に設けられた分離丘１７は、三角台状をしているため、使用者の左右の脚１１を互いに所定間隔をおいて振り分け状に支持可能になっている。
【００２５】
この脚載せ部１２に脚１１を支持させるには、脚１１をその長手方向に直交させた方向（図１１の状態で座面部３対する前後方向）に沿って近づけるだけでよい。
図７に示すように、脚載せ部１２において、溝底面１５は、座面部３側の端部１２ｂから足先寄りの端部１２ａへ向けて徐々に深くなる（低くなる）傾斜面に形成されており、これに対して各側部内面１６は、その背合わせとなる左右両側壁部２０と共に足先寄り端部１２ａに近づくほど上方への突出量を大きくさせ、反対に座面部３側の端部１２ｂに近づくほど溝底面１５より下方への突出量を大きくさせた形状に形成されている。
【００２６】
そのため、本体部１０の内部には、脚載せ部１２における座面部３側の端部１２ｂへ近づくほど高くなる（広くなる）空洞部を形成させることができ、この空洞部内を、座面部３に対してフットレスト２の前後揺動を支持するための枢軸２４や、その他、必要に応じて角度設定用機構や揺動連動機構等を設けるためのスペースとして使用することができる。このようなことから、本体部１０としての大型化及び嵩高化を防止できる。
【００２７】
脚部マッサージ駆動部１３において、第１指圧部２６が足首を左右両側から掴みモミするものであること、及びこの第１指圧部２６に用いられるエアセル２９が、酢酸ビニル等の樹脂により、外周面を蛇腹構造とした円筒形に形成されたものであることは、前記第１実施形態と同じである。
しかし、図９に示すように、本第２実施形態で用いたエアセル２９は、その外周まわりにおいて、上向きとなる約半周領域に形成されている蛇腹の形成数が、下向きとなる約半周領域に形成されている蛇腹の形成数よりも多くなっている。
【００２８】
すなわち、このエアセル２９は、中心軸まわりの回転対称形とはなっておらず、上向き配置の蛇腹のなかには、その凹側及び凸側の周方向稜線においてセル外周を１周しないものが含まれていることになる。
従って、各エアセル２９に空気を供給して伸長動作させた場合、エアセル２９はその伸長度合が進むにつれて次第に溝底面１５側を指向するようなカーブ伸長を行うことになる。従って、脚１１は、指圧と同時に溝底面１５側へ押え込まれるような作用を受けることになる。
【００２９】
そのため、指圧中、脚１１は安定した状態とされ、脚載せ部１２から脚１１が追い出されるといったことも、当然に生じない。
なお、図７及び図８に示すように、各エアセル２９は、その伸長量に応じた撓み代を有して縫製された布や合成皮革、或いは伸縮性を有した布やゴムシート等より成る表皮材３０によって被覆されており、直接、脚１１等と触れないようになっている。
【００３０】
一方、図１０に示すように、第２指圧部２７は、ふくらはぎを突き上げるように指圧するものではなく、ふくらはぎを左右両側から掴みモミすることでマッサージ動作する構成となっている。
すなわち、この第２指圧部２７は、左右の各脚１１に対して、幅方向中央部に固定部３２を有してその両側へ揺動片３３を張り出すようにした開閉動作体３４と、この開閉動作体３４における両揺動片３３の下部に設けられた左右のエアセル３５と、開閉動作体３４における両揺動片３３の張出端上部に設けられた指圧片３６とを有したものとなっている。
【００３１】
開閉動作体３４は、バネ板や樹脂板、又はゴム板等の可撓性及び弾性を有した素材により形成されており、エアセル３５の伸長動作時には上方へ反り変形を起こすが、エアセル３５から空気を排出させれば、開閉動作体３４自体の弾性復元力によって元の形状に戻るようになっている。
なお、固定部３２と揺動片３３とをヒンジ構造で接続する構造であれば、開閉動作体３４としての素材は限定されないが、この場合、揺動片３４を開いた状態に付勢するための戻し機構が必要になる。
【００３２】
これらエアセル３５も、酢酸ビニル等の樹脂により、外周面を蛇腹構造とした円筒形に形成されている。なお、開閉動作体３４及び指圧片３６は、脚１１のふくらはぎに沿って所定長さを有して形成されており、これに合わせてエアセル３５は、前後方向に２個づつ並べて配してある（図７及び図８参照）。勿論、このことは何ら限定されるものではなく、前後方向で１個としてもよい。
【００３３】
この各エアセル３５にも、その外周まわりの蛇腹の形成数が非対称となったものが用いられている。そして、それぞれの配置において外向きとされる約半周領域の蛇腹形成数が、内向きの約半周領域の蛇腹形成数よりも多くなるように取り付けられている。
すなわち、各エアセル３５は、中心軸まわりの回転対称形とはなっておらず、外向き配置の蛇腹のなかには、その凹側及び凸側の周方向稜線においてセル外周を１周しないものが含まれていることになる。
【００３４】
このような構造であるため、左右の全エアセル３５へ一斉に空気を供給して伸長動作させた場合、その伸長度合が進むにつれて指圧片３６は次第に、左右のものが相互近接するようなカーブ伸長を行い、脚載せ部１２で支持される脚１１の両側面を挟持状に指圧することになる。従って、指圧片３６による脚１１の指圧が円滑で且つ十分な指圧力をもって行われることになる。
【００３５】
そのため、指圧中、脚１１は安定した状態とされ、脚載せ部１２から脚１１が追い出されるといったことも、当然に生じない。
図７及び図８に示したように、開閉動作体３４及び指圧片３６は、その揺動量に応じた撓み代を有するように形成された表皮材３０によって被覆されており、直接、脚１１等と触れないようになっている。
【００３６】
なお、図示は省略するが、脚部マッサージ駆動部１３として、脚載せ部１２の溝底面１５に、足首やふくらはぎをその背面側から突き上げるように指圧する第３指圧部を設けることも可能である。
この場合、第１指圧部２６、第２指圧部２７、及び第３指圧部は、それぞれ、独自に作動させてもよいし、所定の連動関係を持たせて作動させてもよい。連動させる場合において、上記したように第１指圧部２６及び第２指圧部２７は、いずれも脚載せ部１２から脚１１が追い出されることを防止する作用を有しているため、これら第１、第２指圧部２６，２７と上記第３指圧部とに対して、同時タイミングで空気の供給を行わせるように制御することができる。
【００３７】
勿論、第１、第２指圧部２６，２７と第３指圧部とを、各個別々に作動させる場合であって、たまたまそれらの使用時期が重なることがあっても、いちいち、空気の給排タイミングを所定関係に保たせるような、複雑な制御を行う必要はない。
上記第１指圧部２６及び第２指圧部２７に共通した利点としては、特に、空気圧を利用した指圧であるために所定圧力を超えて過剰に指圧することがない点や、エアセル２９，３５が円筒形であるために伸縮変形が円滑且つ高能率で行える点等を挙げることができる。
【００３８】
第１指圧部２６及び第２指圧部２７（即ち、マッサージ駆動部１３）においてエア配管に必要なエアホース、ホース継手、制御弁等は、本体部１０内に確保された空洞部を機械収納部２５として活用して、ここへ設けることができる。
なお、図１２に示すように第１指圧部２６や第２指圧部２７に対して足の部分を差し入れるような使い方もできる。
【００３９】
また、図１３に示すように第１指圧部２６において、各エアセル２９の突端面側に、例えば半球状等をした指圧片４０を設けて、指圧時の面圧を高め、その指圧効果を高めるようにすることも可能である。
図１４及び図１５は、本発明に係る椅子型マッサージ機１において、フットレスト２の脚載せ部１２に脚１１の足裏を支持可能なステップ４５を設けて、このステップ４５の裏底側に機械収納部２５を形成させた第５実施形態を示している。
【００４０】
従って、この第５実施形態では、機械収納部２５内に、脚部マッサージ駆動部１３の配管機器や配線機器等（図示略）を収納したり、マッサージ駆動部１３として、ステップ４５に、足裏に対するマッサージ動作を行う第４指圧部４６を設けたりすることができるものとなっている。
図１６は、本発明に係る椅子型マッサージ機１において、フットレスト２のマッサージ駆動部１３として、第２指圧部２７によりふくらはぎへそれらの下から突き上げるような指圧を繰り返すことによって、マッサージ動作を行う構成とした第６実施形態を示している。
【００４１】
すなわち、この第６実施形態では、指圧片３６が、枢軸５０を中心として起き上がり方向に揺動自在に保持されており、この指圧片３６の下部にエアセル３５が設けられた構造になっている。
言うまでもなく、これら第５及び第６実施形態でも、フットレスト２が座面部３に対して前後動可能になっている点及びその構造等については、第１乃至第３実施形態と同じであるものとする。
【００４２】
ところで、本発明は、上記各実施形態に限定されるものではない。
例えば、マッサージ駆動部１３において、指圧動作部２６，２７等の配置や配置数は適宜変更可能であり、勿論、エアセル２９，３５の使用数等も適宜変更可能である。
このように、マッサージ駆動部１３の構造、マッサージ動作内容、動作原理等は何ら限定されるものではない。
【００４３】
【発明の効果】
以上の説明から明らかなように、本発明に係る椅子型マッサージ機では、座面部の前部で前後揺動可能に設けられたフットレストが、少なくとも上方へ跳ね上げた使用状態で前後動可能に設けられているので、このフットレストに設けられるマッサージ駆動部（エアセル）の位置付けを、脚の適正なツボ位置等へ正確に位置付けることができる。従って、身長差を有する様々な使用者が使用する場合でも、各使用者にとってそれぞれ満足したマッサージ効果が得られるようになる。
【図面の簡単な説明】
【図１】第１実施形態においてフットレストを座面部に対して揺動可能にする構造部分を示す側断面図である。
【図２】図１のＤ−Ｄ線矢視図である。
【図３】第１実施形態においてフットレストを前後動可能にする構造部分を示す拡大正面断面図である。
【図４】第１実施形態の椅子型マッサージ機を示す斜視図である。
【図５】第２実施形態の主要部（フットレストを前後動可能にする部分）を示した部分図である。
【図６】第３実施形態の主要部（フットレストを前後動可能にする部分）を示した部分図である。
【図７】図８のＡ−Ａ線断面図である。
【図８】第４実施形態のフットレストを示す平面図である。
【図９】図８のＢ−Ｂ線拡大断面図である。
【図１０】図８のＣ−Ｃ線拡大断面図である。
【図１１】第４実施形態の椅子型マッサージ機を示す斜視図である。
【図１２】フットレストの別使用例を示す側断面図である。
【図１３】第１指圧部のエアセルに指圧片を設けた状況を図９に対応させて示した断面図である。
【図１４】第５実施形態の椅子型マッサージ機を示す概略側面図である。
【図１５】第５実施形態のフットレストを示す斜視図である。
【図１６】第６実施形態のフットレストを図７に対応させて示した断面図である。
【符号の説明】
１    椅子型マッサージ機
２    フットレスト
３    座面部
１０    本体部
１２    脚載せ部
１３    マッサージ駆動部
２９    エアセル
３５    エアセル
１０５    ガイドレール
１２０    回転操作軸
１２２    ブレーキシュー
【図１】
0003720976.tif 000002
【図２】
0003720976.tif 000003
【図３】
0003720976.tif 000004
【図４】
0003720976.tif 000005
【図５】
0003720976.tif 000006
【図６】
0003720976.tif 000007
【図７】
0003720976.tif 000008
【図８】
0003720976.tif 000009
【図９】
0003720976.tif 000010
【図１０】
0003720976.tif 000011
【図１１】
0003720976.tif 000012
【図１２】
0003720976.tif 000013
【図１３】
0003720976.tif 000014
【図１４】
0003720976.tif 000015
【図１５】
0003720976.tif 000016
【図１６】
0003720976.tif 000017